(57)【要約】【課題】額縁を吊下げるための掛け止め具を壁等に施すことなく配置できることができる額縁を提供する。【解決手段】額縁１０を縦フレーム１１ａ，１１ｂと横フレーム１２ａ，１２ｂ，１２ｃとを連結してラダー状に形成した。そして、縦フレーム１１ａ，１１ｂと横フレーム１２ａ，１２ｂ，１２ｃとで囲まれた空間Ｓには絵画Ａを配置させる。空間Ｓには、固定枠が縦フレーム１１ａ，１１ｂと横フレーム１２ａ，１２ｂ，１２ｃに固着されているとともに、絵画Ａを収容した背板、前枠板１８、装飾板の順に嵌め込まれている。【選択図】      図１
2005177301.tif 000002
【特許請求の範囲】
【請求項１】
額縁本体の左右両側部を、その左右両側部からそれぞれ上下方向に延びる棒状の縦フレームに連結したことを特徴とする額縁。
【請求項２】
請求項１に記載の額縁において、
前記額縁本体は、前記一対の縦フレーム間に連結した複数の棒状の横フレームと、前記複数の横フレーム間に挟まれた縦フレーム部分とで構成され、前記横フレームと前記縦フレームで囲まれた空間に展示物が配置されることを特徴とする額縁。
【請求項３】
請求項２に記載の額縁において、
前記横フレームと前記縦フレームとで構成される額縁本体は、
前記空間内において固定される固定枠と、
前記空間内に配置され、その後側面が前記固定枠に支持される背板と、
前記空間内に配置され、その後側面が前記背板に支持され、前記背板との間に配置される展示物を視認できるように開口部を形成した前枠板と、
前記空間内に配置され、その後側面が前記前枠板に支持される装飾板と
を備えたことを特徴とする額縁。
【請求項４】
請求項３に記載の額縁において、
前記背板は、その前側面に前記展示物を収容する収容凹部を形成したことを特徴とする額縁。
【請求項５】
請求項３又は４に記載の額縁において、
前記背板は、前側に配置された前記前枠板を前方に押圧するための切り欠きを形成したことを特徴とする額縁。
【請求項６】
請求項１に記載の額縁において、
前記額縁本体は、四角枠状の連結フレームであって、その左右両側部を、その左右両側部からそれぞれ上下方向に延びる棒状の縦フレームに連結したことを特徴とする額縁。
【請求項７】
請求項１乃至６のいずれか１つに記載の額縁において、
前記縦フレームの一端部には伸縮可能な伸張部材が設けられていることを特徴とする額縁。
【発明の詳細な説明】
【技術分野】
【０００１】
本発明は、額縁に関する。
【背景技術】
【０００２】
額縁は、絵画や写真等の展示物の外周を四角枠体で囲こみ、壁等に吊下げて絵画や写真等を展示する。その枠体は、一般に、展示物の表示領域を形成するとともに展示物を前側から支持する。一方、展示物を後側から支持するために、額縁の後面には、背板が設けられている。この背板は、止め具等を用いて枠体に取り付けられている。そして背板又は枠体の後面には掛止め部等が設けられており、フック型の止め具等に引っ掛けられる。そのフック型の止め具等を壁面上に設置することによって額縁は壁面に対して吊下げ可能とされている。
【発明の開示】
【発明が解決しようとする課題】
【０００３】
ところが、額縁に収納される展示物を展示するためには、壁面上に止め具等を施さなければならず、止め具等を取り付けることができない壁面対しては展示物を展示することができない問題がある。また、展示物が大判になるに連れて額縁の荷重が増えるため、止め具等への負荷が大きくなり、壁面に吊下げられる額縁が転落する問題がある。さらに、展示物を交換するときには、額縁の裏面にある裏面板を取り外すために、壁面に吊下げられた額縁を壁面から取り外す必要があり、展示物の交換に手間のかかる問題がある。
【０００４】
本発明の目的は、額縁を吊下げるための掛け止め具を壁等に施すことなく設置できる額縁を提供することである。
【課題を解決するための手段】
【０００５】
本発明の額縁は、額縁本体の左右両側部を、その左右両側部からそれぞれ上下方向に延びる棒状の縦フレームに連結した。
本発明の額縁によれば、額縁本体の左右両側部から上下方向に延びる縦フレームを、例えば床と壁等の間に立て掛けるだけで、額縁を配置することができる。
【０００６】
この額縁において、前記額縁本体は、前記一対の縦フレーム間に連結した複数の棒状の横フレームと、前記複数の横フレーム間に挟まれた縦フレーム部分とで構成され、前記横フレームと前記縦フレームで囲まれた空間に前記展示物が配置されるようにしてもよい。
【０００７】
この額縁によれば、額縁がラダー状（梯子状）に形成されるため、縦フレームを、例えば床と壁等の間に立て掛けるだけで、額縁を配置することができる。
この額縁において、前記横フレームと前記縦フレームとで構成される額縁本体は、前記空間内において固定される固定枠と、前記空間内に配置され、その後側面が前記固定枠に支持される背板と、前記空間内に配置され、その後側面が前記背板に支持され、前記背板との間に配置される展示物を視認できるように開口部を形成した前枠板と、前記空間内に配置され、その後側面が前記前枠板に支持される装飾板とを備えてもよい。
【０００８】
この額縁によれば、展示物を額縁本体に収容する場合、固定枠に対して順番に背板、展示物、前枠板、そして装飾板を空間内に配設するだけの簡単な作業で、展示物は額縁に収容される。反対に、展示物を交換する場合、固定枠に対して順番に装飾板、前枠板を取り外すだけの簡単な作業で展示物を取り出し新しい展示物と交換することができる。
【０００９】
この額縁において、前記背板は、その前側面に前記展示物を収容する収容凹部を形成してもよい。
この額縁によれば、展示物は、収容凹部内に収められ背板に対して位置ズレすることがないことから、展示物の位置決めのための作業が容易となる。
【００１０】
この額縁において、前記背板は、前側に配置された前記前枠板を前方に押圧するための切り欠きを形成してもよい。
この額縁によれば、その切り欠きを介して例えば指等で前側に配置される前枠板を前方に押圧できる。従って、展示物を交換する作業が容易となる。
【００１１】
この額縁において、前記額縁本体は、四角枠状の連結フレームであって、その左右両側部を、その左右両側部からそれぞれ上下方向に延びる棒状の縦フレームに連結してもよい。
【００１２】
この額縁によれば、連結フレームの左右両側部から上下方向に延びる縦フレームを、例えば床と壁等の間に立て掛けるだけで、額縁を配置することができる。
この額縁において、前記縦フレームの一端部には伸縮可能の伸張部材が設けられるようにしてもよい。
【００１３】
この額縁によれば、縦フレームを伸張部材を介して、例えば床と天井等の間の立設させることができる。
【発明を実施するための最良の形態】
【００１４】
（第１実施例）
以下、本発明の額縁を具体化した一実施形態を、図１〜図８に従って説明する。
図１において、額縁１０は、左右一対の額縁本体を構成する縦フレーム１１ａ，１１ｂと、上下３本の額縁本体を構成する横フレーム１２ａ，１２ｂ，１２ｃを有している。額縁１０は、左右一対の縦フレーム１１ａ，１１ｂ間を３本の横フレーム１２ａ，１２ｂ，１２ｃを介して連結されてラダー状に形成されている。このラダー状の額縁１０は、図３に示すように、壁Ｗに対して斜めに立て掛けて使用されるようになっている。縦フレーム１１ａ，１１ｂ及び横フレーム１２ａ，１２ｂ，１２ｃは、図４乃至図７に示すように、断面四角形の角材であって、縦フレーム１１ａ，１１ｂと横フレーム１２ａ，１２ｂ，１２ｃに囲まれた長方形の空間Ｓが配設される。本実施形態では、上下3本の横フレーム１
２ａ，１２ｂ，１２ｃで左右一対の縦フレーム１１ａ，１１ｂを連結していることから、上下２つの空間Ｓが形成される。３本の横フレーム１２ａ，１２ｂ，１２ｃのうち、中段と下段の横フレーム１２ｂ，１２ｃの上面には、図４に示すように、嵌合溝１３が長手方向に凹設されている。
【００１５】
前記空間Ｓ内には、図２に示すように、四角枠状の固定枠１４が嵌め込まれて、その固定枠１４の外側面が縦フレーム１１ａ，１１ｂ及び横フレーム１２ａ，１２ｂ，１２ｃに対して接着固定されている。このとき、固定枠１４は、図４に示すように、前記横フレーム１２ｂ，１２ｃに形成した嵌合溝１３に対して後側に一定の距離だけ離間した位置に固定される。
【００１６】
前記四角枠状の固定枠１４の前側には、背板１５が配設される。背板１５は不透明なアクリル樹脂等の合成樹脂でできた板材で形成されている。背板１５は、その外形が固定枠１４の外形と同形状であって、その厚さは、固定枠１４の前側に配設されたとき、その前側面１５ａが図４に示すように、横フレーム１２ｂ，１２ｃの嵌合溝１３に接する位置にくる厚さになっている。背板１５は、その前側面１５ａに四角形状の収容凹部１６が凹設され、その収容凹部１６に展示物としての絵画Ａが収容されるようになっている。背板１
５は、図６及び図７に示すように、その左右両側辺上部に切り欠き１７を形成している。この切り欠き１７の大きさは、額縁１０を後方から見たとき、前記固定枠１４から露出し指が差し込める程度の大きさに形成されている。
【００１７】
背板１５の前側には、前枠としての前枠板１８が配設されている。前枠板１８は不透明なアクリル樹脂などの合成樹脂できた板材で形成されている。前枠板１８は、その外形が背板１５と同形状であって、その厚さは、嵌合溝１３の溝幅より短い厚さになっている。前枠板１８には、図８に示すように、背板１５の収容凹部１６に対向するように、開口部１８ａが形成されている。開口部１８ａの大きさは、収容凹部１６より若干小さく形成されている。前枠板１８はその下側辺が嵌合溝１３に嵌合されて、その後面が背板１５の前側面１５ａの左右及び上下側部に当接する。従って、背板１５の前側面１５ａの収容凹部１６に収容された絵画Ａは、その外周部が前面から支持されて収容凹部１６から出ないようになっている。
【００１８】
前枠板１８の前側には、装飾板１９が配設されている。装飾板１９は透明なアクリル樹脂等の合成樹脂でできた板材で形成されている。装飾板１９は、その外形が背板１５と同形状であって、その厚さは、前記前枠板１８が嵌合溝１３に嵌合された状態で嵌合溝１３にその下側辺が嵌合される厚さになっている。従って、背板１５の収容凹部１６に収容された絵画Ａは、この装飾板１９によって保護されるとともに、装飾板１９及び前枠板１８の開口部１８ａを介して視認することができるようになっている。
【００１９】
次に、上記のように構成されたラダー形状の額縁１０の使用方法について説明する。
図３に示すように、額縁１０は壁Ｗに対して斜めに立て掛けられている。まず、図７に示すように、背板１５の収容凹部１６に展示したい絵画Ａを収める。そして、絵画Ａを収めた背板１５を、固定枠１４にて支持されるように空間Ｓに嵌めこむ。次に、図８に示すように、前枠板１８を背板１５の前側に配置する。このとき、前枠板１８の下側辺を嵌合溝１３に嵌め込んで背板１５の前側に配置する。そして、最後に、装飾板１９をその下側辺が嵌合溝１３にはめ込まれるようにして背板１５の前側に配置することによって、展示作業は終了する。なお、背板１５、前枠板１８及び装飾板１９は、これら下側辺のみが嵌合溝１３に嵌合していることによって支持されているだけであるが、額縁１０は壁Ｗに対し斜めに立て掛けられるため、空間Ｓから外れ落ちることはない。
【００２０】
新しい絵画Ａに交換するために、絵画Ａを取り外す場合、額縁１０の後方に回り、背板１５に形成した切り欠き１７を介して指で前枠板１８の後面を押す。これによって、前枠板１８及び装飾板１９は、下側辺を回動中心に回動し、上側辺が空間Ｓから飛び出し取り出し可能な状態になる。そして、前枠板１８及び装飾板１９を取り出すと、背板１５の収容凹部１６に収容された絵画Ａを取り出し可能な状態となる。そして、新しい絵画Ａと交換し、前記と同様な方法で前枠板１８及び装飾板１９をセットすれば、絵画Ａの交換作業は完了する。
【００２１】
次に、上記のように構成された額縁１０は以下のような効果を得ることができる。
（１）本実施形態によれば、額縁１０を縦フレーム１１ａ，１１ｂと横フレーム１２ａ，１２ｂ，１２ｃとを連結してラダー状に形成した。そして、縦フレーム１１ａ，１１ｂと横フレーム１２ａ，１２ｂ，１２ｃとで囲まれた空間Ｓに絵画Ａを配置するようにした。
【００２２】
従って、額縁１０を壁Ｗに立て掛けた状態で配置することができることから、壁Ｗに額縁を掛け止めるための特別な掛け止め部材を取り付ける必要がなく額縁１０を配置することができる。その結果、額縁１０の配置作業は簡単となり壁Ｗに損傷を来たすことがない。
【００２３】
（２）本実施形態によれば、額縁１０をラダー状に形成したので、２つの空間Ｓが形成され同時に２つの絵画Ａを展示することができる。
（３）本実施形態によれば、固定枠１４に支持されて空間Ｓに嵌め込まれた背板１５に形成した収容凹部１６に絵画Ａを収容した。従って、絵画Ａは、背板１５から位置ズレすることなく、絵画Ａの位置決めのための作業が容易となる。
【００２４】
（４）本実施形態によれば、装飾板１９を背板１５全面を覆う透明の合成樹脂板で形成した。従って、この装飾板１９によって絵画Ａを保護することができるとともに、絵画Ａを視認することができる。
【００２５】
（５）本実施形態では、背板１５に切り欠き１７を形成し、その切り欠き１７を介して前枠板１８及び装飾板１９を前方に押圧できるようにした。従って、新しい絵画Ａに交換する際に、絵画Ａの前側に配置された前枠板１８及び装飾板１９を簡単に取り外すことができる。その結果、絵画Ａの交換作業は簡単となる。
【００２６】
（６）本実施形態によれば、背板１５、前枠板１８及び装飾板１９を空間Ｓに嵌め込むとき、それら下側辺を横フレーム１２ｂ，１２ｃに形成した嵌合溝１３に嵌合させた。従って、背板１５は固定枠１４と前枠板１８との間で支持されるとともに、前枠板１８が後方から押されるとき、下側辺を中心に回動して上側辺が空間Ｓから飛び出すので、取り出し作業が容易となる。
（第２実施例）
次に、本発明の額縁を具体化した第２実施形態を、図９〜図１２に従って説明する。
【００２７】
図９において、額縁２０は、左右一対の縦フレーム２１ａ，２１ｂを有している。
縦フレーム２１ａ，２１ｂは、断面円筒の棒材で形成され、その下端が床Ｂに設置して立設される。縦フレーム２１ａ，２１ｂの上端部には、伸張部材２２ａ，２２ｂが縦フレーム２１ａ，２１ｂの軸線方向に伸縮可能に設けられている。伸張部材２２ａ，２２ｂは、縦フレーム２１ａ，２１ｂの円筒内に収容された、図示しない位置決め固定部材にて、縦フレーム２１ａ，２１ｂに対して移動不能に固定されるようになっている。伸張部材２２ａ，２２ｂの先端部には、円盤Ｐが取着されている。従って、縦フレーム２１ａ，２１ｂの下端を床Ｂに設置し、伸張部材２２ａ，２２ｂの円盤Ｐを天井Ｔに当接するように伸張部材２２ａ，２２ｂを伸張した後、縦フレーム２１ａ，２１ｂに対して移動不能に固定すると、縦フレーム２１ａ，２１ｂは床Ｂと天井Ｔの間で立設固定される。
【００２８】
左右一対の縦フレーム２１ａ、２１ｂの間には、四角枠状の額縁本体としての連結フレーム２３が連結されている。連結フレーム２３は不透明な合成樹脂でできた板材で形成されている。連結フレーム２３の左右側部には、連結部２４ａ，２４ｂが形成されている。連結部２４ａ，２４ｂは、図１１に示すように、上下方向に沿って断面円形状の貫通孔を形成する。そして、貫通孔に対して上下方向に沿って貫通孔を貫通するように後面側から切り欠いて切り欠き部２５ａ，２５ｂを形成する。連結部２４ａ，２４ｂを構成する貫通孔の内径は、前記縦フレーム２１ａ、２１ｂの外径よりも若干小さく形成されている。従って、縦フレーム２１ａ、２１ｂに連結部２４ａ，２４ｂを貫挿するとき、切り欠き部２５ａ，２５ｂが外側に撓んで貫挿される。即ち、連結部２４ａ，２４ｂは縦フレーム２１ａ、２１ｂに２４ａ，２４ｂを圧入して貫挿される。そして、連結部２４ａ，２４ｂを縦フレーム２１ａ、２１ｂの所定の位置まで圧入されると、連結フレーム２３（連結部２４ａ，２４ｂ）はその位置で移動不能に位置決め固定される。
【００２９】
四角枠状の連結フレーム２３は、前面側から後面側まで貫通する開口部２６が形成されている。開口部２６の大きさは展示物としての絵画Ａの外形よりも小さく形成されている
。開口部２６の左側及び右側の内側面には、図１１に示すように、嵌合溝２７ａ，２７ｂが相対向するように凹設されている。嵌合溝２７ａ，２７ｂの深さは、嵌合溝２７ａの溝底面と相対向する嵌合溝２７ｂの溝底面との幅が展示物としての絵画Ａの横幅となる深さとしている。
【００３０】
開口部２６の上側の内側面であって前記嵌合溝２７ａ，２７ｂに連設される位置には、図１２に示すように、連結フレーム２３の上面まで貫通する挿入口２８が形成されている。挿入口２８の長手方向の幅は、互いに相対向する嵌合溝２７ａ，２７ｂ間のなす幅と同じ幅に形成されている。
【００３１】
開口部２６の嵌合溝２７ａ，２７ｂより後側には、図１２に示すように、収容凹部２９が拡開形成されている。収容凹部２９は、その大きさが絵画Ａの外形と同サイズに凹設されている。前記収容凹部２９の後側には、図１２に示すように、支持凹部３０が拡開形成されている。そして、支持凹部３０と収容凹部２９の段差面３０ａであって、その段差面３０ａの四隅角部には雌ねじ３１が施されている。
【００３２】
前記開口部２６内にあって前記嵌合溝２７ａ，２７ｂ間には、装飾板３２が前記挿入口２８を介して配設される。装飾板３２は透明なアクリル樹脂などの合成樹脂からなる板材で形成されている。装飾板３２の外形は、絵画Ａの外形と略同一の外形からなり、その厚さは嵌合溝２７ａ，２７ｂの溝幅と同じ厚さから形成されている。
【００３３】
支持凹部３０には、背板３３が配設される。背板３３は不透明なアクリル樹脂等の合成樹脂でできた板材で形成されている。背板３３の外形は支持凹部３０に嵌合する大きさに形成されている。その背板３３を支持凹部３０に嵌合したときに、図１１に示すように、背板３３のその左右及び上下の側辺が前記段差面３０ａと相対向する。背板３３の前面には支持突部３４が突出形成されている。支持突部３４の外形は、その背板３３を支持凹部３０に嵌合させたときに、支持突部３４の四辺外周が収容凹部２９に嵌合する大きさに形成されている。そして、収容凹部２９に絵画Ａが配設されたとき、支持突部３４の前面が、絵画Ａの背面を支持する。
【００３４】
背板３３の厚さは、支持凹部３０の深さよりも若干短く形成されており、収容凹部２９に収容された絵画Ａを支持突部３４が支持しているときに、図１１に示すように、背板３３の四辺外周の前面が前記段差面３０ａに若干離間する厚さになっている。背板３３の四隅角部には貫通孔３５が形成されている。貫通孔３５は、背板３３を支持凹部３０に配設したときに雌ねじ３１と相対向する位置に形成されている。そして、雄ねじ３６を貫通孔３５を介して前記雌ねじ３１に螺合させることによって、背板３３は、連結フレーム２３に連結固定される。
【００３５】
次に、上記のように構成された額縁２０の使用方法について説明する。
図９に示すように、額縁２０の一対の縦フレーム２１ａ，２１ｂが伸張部材２２ａ，２２ｂによって、床Ｂと天井Ｔの間に張設固定され、その縦フレーム２１ａ，２１ｂ間に連結フレーム２３が連結されている。まず、連結フレーム２３の収容凹部２９に展示したい絵画Ａを収容する。そして、絵画Ａの後側から背板３３を嵌めこみ、背板３３を連結フレーム２３に雄ねじ３６によって配設固定する。これによって、絵画Ａは額縁２０に配置固定されて展示作業が終了する。
【００３６】
上記実施形態によれば、以下のような効果を得ることができる。
（１）本実施形態によれば、額縁２０は伸縮可能とする伸張部材２２ａ，２２ｂを備えた縦フレーム２１ａ、２１ｂ間に連結フレーム２３を連結させた。そして、連結フレーム２３に前側から後側までを貫通する開口部２６を設け、その開口部２６内に絵画Ａを配置
するようにした。
【００３７】
従って、縦フレーム２１ａ、２１ｂを介して天井Ｔと床Ｂとの間に額縁２０を配置することができ、壁Ｗ等に額縁２０を掛け止めるための特別な掛け止め部材を取り付ける必要がなく額縁２０を配置することができる。その結果、額縁２０の配置作業は簡単となり壁に損傷を来たすことがない。
【００３８】
（２）本実施形態によれば、一対の縦フレーム２１ａ、２１ｂの間に絵画Ａを配置可能とする２つの連結フレームを配設したため同時に２つの絵画Ａを展示することができる。
（３）本実施形態によれば、連結フレーム２３に施された収容凹部２９に絵画Ａを収容した。従って、絵画Ａは連結フレーム２３から位置ズレすることなく収容されるため、絵画Ａの位置決めのための作業が容易となる。
【００３９】
（４）本実施形態によれば、装飾板３２を絵画Ａの全面を覆う透明の合成樹脂板で形成した。従って、この装飾板３２によって絵画Ａを保護することができるとともに、絵画Ａを視認することができる。
【００４０】
（５）本実施形態では、縦フレーム２１ａ、２１ｂを天井Ｔと床Ｂとの間で位置決めして張設固定した。従って、連結フレーム２３と壁Ｗとの間に手が入る程度の空間を設けて配置することができる。その結果、新しい絵画Ａに交換する際に、絵画Ａの後側に配置された雄ねじ３６及び背板３３を簡単に取り外すことができる。その結果、絵画Ａの交換作業は簡単となる。
【００４１】
なお、上記実施形態は以下のように変更してもよい。
○上記第１実施形態では、左右一対の縦フレーム１１ａ，１１ｂによって額縁１０を構成した。これを変更し、３本以上の縦フレームを使って額縁１０を構成してもよい。
【００４２】
○上記第１実施形態では、３本の横フレーム１２ａ，１２ｂ，１２ｃを用いて、２つの絵画Ａを展示するようにしたが、２本又は４本以上の横フレームを用いて、１つまたは３つ以上の絵画Ａを展示することができるようにしてもよい。
【００４３】
○上記第２実施形態では、左右一対の縦フレーム２１ａ，２１ｂによって額縁２０を構成したが、３本以上の縦フレームを使って額縁２０を構成してもよい。この場合、部屋等の空間を区切る区切り面としての機能も有することになる。つまり、複数の縦フレームを並設させ、隣り合う縦フレームの間に複数の連結フレームを連結させることによってパーティションとして使用してもよい。
【００４４】
○上記第２実施形態では、連結フレームの左右側辺に連結部２４ａ，２４ｂを凹設して、連結フレームを縦フレームに嵌合させて配置固定させた。これを変更し、連結フレームを縦フレームにネジ止め固定させるようにしてもよい。
【００４５】
○上記第２実施形態の伸張部材２２ａ，２２ｂを第１実施形態の縦フレーム１１ａ，１１ｂに設けて実施してもよい。また、上記第２実施形態の伸張部材２２ａ，２２ｂは縦フレーム２１ａ，２１ｂの上部に設けたが、縦フレーム２１ａ，２１ｂの下部に、又は、上下両側に伸張部材２２ａ，２２ｂを設けて実施してもよい。
【図面の簡単な説明】
【００４６】
【図１】展示物を配置した状態にある第１実施形態の額縁の正面図である。
【図２】展示物を配置した状態にある第１実施形態の額縁の背面図である。
【図３】壁に立て掛けた状態にある第１実施形態の額縁の側面図である。
【図４】展示物を配置した状態にある第１実施形態の額縁の要部縦断面図である。
【図５】展示物を配置した状態にある第１実施形態の額縁の切り欠きを介さない横断面図である。
【図６】展示物を配置した状態にある第１実施形態の額縁の切り欠きを介す横断面図である。
【図７】展示物を第１実施形態の額縁に配置する方法を説明する説明図であって、背板と展示物を配置する方法を説明する説明図である。
【図８】展示物を第１実施形態の額縁に配置する方法を説明する説明図であって、前枠板と装飾板を配置する方法を説明する説明図である。
【図９】展示物を配置した状態にある第２実施形態の額縁の正面図である。
【図１０】展示物を配置した状態にある第２実施形態の額縁の背面面図である。
【図１１】展示物を配置した状態にある第２実施形態の額縁の横断面図である。
【図１２】展示物を配置した状態にある第２実施形態の額縁の縦断面図である。
【符号の説明】
【００４７】
Ｓ・・・空間、１０，２０・・・額縁、１１ａ，１１ｂ・・・額縁本体を構成する縦フレーム、１２ａ，１２ｂ，１２ｃ・・・額縁本体を構成する横フレーム、１３，２７ａ，２７ｂ・・・嵌合溝、１４・・・固定枠、１５，３３・・・背板、１５ａ・・・前側面、１６，２９・・・収容凹部、１７・・・切り欠き、１８・・・前枠板、１８ａ，２６・・・開口部、１９，３２・・・装飾板、２１ａ，２１ｂ・・・縦フレーム、２２ａ，２２ｂ・・・伸張部材、２３・・・額縁本体としての連結フレーム。
【図１】
2005177301.tif 000003
【図２】
2005177301.tif 000004
【図３】
2005177301.tif 000005
【図４】
2005177301.tif 000006
【図５】
2005177301.tif 000007
【図６】
2005177301.tif 000008
【図７】
2005177301.tif 000009
【図８】
2005177301.tif 000010
【図９】
2005177301.tif 000011
【図１０】
2005177301.tif 000012
【図１１】
2005177301.tif 000013
【図１２】
2005177301.tif 000014